(57)【特許請求の範囲】
【請求項１】
地上マルチメディア放送波として送信されるセグメント連結送信信号を受信して、該セグメント連結送信信号の信号強度を測定し、該測定結果を表示器（２７）の画面上に表示する地上マルチメディア放送波信号測定装置であって、
前記セグメント連結送信信号の信号強度を測定するセグメント連結送信信号測定部（２２）と、
前記セグメント連結送信信号を構成する複数セグメントのそれぞれのセグメントの信号強度を測定するセグメント測定部（２３）と、
前記セグメント連結送信信号測定部の測定結果と前記セグメント連結送信信号を構成するセグメント数とからセグメントあたりの信号強度の平均値を算出するセグメント平均値算出手段（２４）と、
前記セグメント連結送信信号に含まれるレイヤ割り当て情報に基づき、前記複数セグメントそれぞれのレイヤを判別するレイヤ判別部（２８）と、
前記セグメント測定部で測定された前記信号強度の測定値を受けて、前記レイヤ判別部で判別された前記セグメント連結送信信号に定義されているレイヤ毎に当該測定値よりレイヤ別信号強度特性値を算出するとともに、前記セグメント平均値算出手段で算出された前記信号強度の平均値を受けて、前記レイヤ判別部で判別された前記セグメント連結送信信号に定義されているレイヤ毎に当該平均値よりレイヤ別信号強度特性値を算出し、これらレイヤ別信号強度特性値の差である相対値を算出するレイヤ相対値算出手段（２５）と、
前記レイヤ相対値算出手段により得られた前記レイヤ毎の算出結果のグラフと前記セグメント連結送信信号測定部の測定結果のグラフとを前記表示器に表示し、さらに前記レイヤ毎の算出結果のグラフの背景色を前記セグメント連結送信信号内に配置されるスーパーセグメントのくくり毎に変えて前記表示器に表示する表示制御部（２６）とを設けたことを特徴とする地上マルチメディア放送波信号測定装置。
【請求項２】
前記表示制御部は、前記セグメント連結送信信号内に配置されるタイプＡスーパーセグメントの中央セグメントを前記セグメント連結送信信号に定義されているレイヤ毎の算出結果のグラフ上で識別できるよう前記表示器に表示することを特徴とする請求項１記載の地上マルチメディア放送波信号測定装置。
【請求項３】
前記レイヤ別信号強度特性値は、前記セグメント連結送信信号の信号電力及び電界強度の少なくとも一方であることを特徴とする請求項１記載の地上マルチメディア放送波信号測定装置。
【請求項４】
地上マルチメディア放送波として送信されるセグメント連結送信信号を受信して、該セグメント連結送信信号の信号強度を測定し、該測定結果を表示する地上マルチメディア放送波信号測定方法であって、
前記セグメント連結送信信号の信号強度を測定するセグメント連結送信信号測定段階と、
前記セグメント連結送信信号を構成する複数セグメントのそれぞれのセグメントの信号強度を測定するセグメント測定段階と、
前記セグメント連結送信信号測定段階の測定結果と前記セグメント連結送信信号を構成するセグメント数とからセグメントあたりの信号強度の平均値を算出するセグメント平均値算出段階と、
前記セグメント連結送信信号に含まれるレイヤ割り当て情報に基づき、前記複数セグメントそれぞれのレイヤを判別するレイヤ判別段階と、
前記セグメント測定段階で測定された前記信号強度の測定値を受けて、前記レイヤ判別段階で判別された前記セグメント連結送信信号に定義されているレイヤ毎に当該測定値よりレイヤ別信号強度特性値を算出するとともに、前記セグメント平均値算出段階で算出された前記信号強度の平均値を受けて、前記レイヤ判別段階で判別された前記セグメント連結送信信号に定義されているレイヤ毎に当該平均値よりレイヤ別信号強度特性値を算出し、これらレイヤ別信号強度特性値の差である相対値を算出するレイヤ相対値算出段階と、
前記相対値算出段階により得られた前記レイヤ毎の算出結果と前記セグメント連結送信信号測定段階の測定結果とをグラフとして表示し、さらに前記レイヤ毎の算出結果のグラフの背景色を前記セグメント連結送信信号内に配置されるスーパーセグメントのくくり毎に変えて表示するグラフ表示段階とを設けたことを特徴とする地上マルチメディア放送波信号測定方法。
【請求項５】
前記グラフ表示段階は、前記セグメント連結送信信号内に配置されるタイプＡスーパーセグメントの中央セグメントを前記セグメント連結送信信号に定義されているレイヤ毎の算出結果のグラフ上で識別できるよう前記表示器に表示することを特徴とする請求項４記載の地上マルチメディア放送波信号測定方法。
【請求項６】
前記レイヤ別信号強度特性値は、前記セグメント連結送信信号の信号電力及び電界強度の少なくとも一方であることを特徴とする請求項４記載の地上マルチメディア放送波信号測定方法。
【発明の詳細な説明】
【技術分野】
【０００１】
本発明は、電波によるサービスを行うにあたって必要な信号強度を測定する技術に関し、特に地上マルチメディア放送波の信号強度測定を容易にするための技術に関する。ここで信号強度とは、電力や電界強度などの測定地点での信号の強さを示す値であり、以降の説明では電力と電界強度を用いて説明する。
【背景技術】
【０００２】
テレビ放送はアナログ方式からデジタル方式に移行し、デジタル方式による地上デジタル放送が開始されている。さらに、テレビ放送のデジタル化により空きスペースとなるＶＨＦ帯の２０７．５ＭＨｚ〜２２２ＭＨｚでは、デジタル方式による地上マルチメディア放送が計画されている。またこれらのデジタル方式の電波の伝搬状態を調べるために、各地で電界強度測定が行われている。
【０００３】
例えば、地上デジタルテレビ放送波の電界強度測定を行うシステムとしては、図３に示すように、測定地点の電波を受けるアンテナ１を設置し、そのアンテナ１の出力信号を周波数変換部１１に入力して所望チャンネルの放送波を選択的に中間周波数帯に変換し、チャンネル測定部１２に入力する。
【０００４】
チャンネル測定部１２は、周波数変換部１１から出力された信号Ｓの電力（チャンネル電力という）Ｐを求め、そのチャンネル電力Ｐ、アンテナ１の特性、ケーブル損失などに基づいて電界強度Ｆ（ｄＢμＶ／ｍ）の値を算出する。
【０００５】
セグメント測定部１３は、周波数変換部１１から出力された信号Ｓのうちの特定セグメントの信号電力Ｐsegを求め、その信号電力Ｐsegとアンテナ係数などの情報から電界強度Ｆseg を求める。
【０００６】
測定されたチャンネル電力Ｐや電界強度Ｆ、特定セグメントの電力Ｐsegは、表示制御部１４により表示器１５の画面上に数値あるいはグラフ化されて表示される。作業者は例えばアンテナ１の向きや高さを変化させ、その変化に対するチャンネル電力Ｐや電界強度Ｆ、特定セグメントの電力Ｐsegや電界強度Ｆsegの変化を調べる。
【０００７】
上記のように所望チャンネルのチャンネル電力Ｐや電界強度Ｆ、特定セグメントの電力Ｐsegを測定して表示器に表示する電界強度測定装置は、例えば次の特許文献１に開示されている。
【０００８】
【特許文献１】特開２００７−１９８９３６号公報
【０００９】
地上デジタルテレビ放送の技術規格ＩＳＤＢ−Ｔでは、１チャンネルは、図８に示すように、幅約４３０ＫＨｚのセグメント１３個により構成され、隣り合うチャンネルはガードバンド（ＧＢ）と呼ばれる未使用周波数帯域により分離されている。
【００１０】
また、それぞれのチャンネル毎に放送事業者は異なっているため、地上デジタル放送に関する電界強度測定においては、各チャンネル毎（１３のセグメント単位）に測定を行えば良かった。
【発明の概要】
【発明が解決しようとする課題】
【００１１】
地上マルチメディア放送の技術規格ＩＳＤＢ−Ｔｍｍでは、図９に示すように、地上マルチメディア放送に割り当てられた周波数帯域（ＶＨＦ帯の２０７．５ＭＨｚ〜２２２ＭＨｚ）は３３のセグメント（ＳＥＧ０〜ＳＥＧ３２）により構成されている。なお、以降の説明においては、セグメント番号であるＳＥＧ０〜ＳＥＧ３２のそれぞれを、セグメント０〜セグメント３２と呼ぶこともある。
【００１２】
このとき各セグメントの間はガードバンドによる分離はされておらず、３３セグメントの信号が連結され、セグメント連結送信信号として放送用送信局より送信される。また、３３セグメント内には、タイプＡスーパーセグメントと呼ばれる１３セグメント形式によるスーパーセグメントが２つと、タイプＢスーパーセグメントと呼ばれる１セグメント形式によるスーパーセグメントが配置されている。それぞれのスーパーセグメントに連結順に番号（スーパーセグメント番号）を割り当て、スーパーセグメント１〜スーパーセグメント３と呼ぶこともある。
【００１３】
さらに、セグメント連結送信信号では、上述のスーパーセグメント内で異なる伝送方式の使用が可能となっており、それぞれの伝送方式のセグメントの集まりをレイヤ（階層とも言う）と呼んでいる。図５にセグメント連結送信信号のセグメント番号とスーパーセグメント番号およびレイヤの対応例を示す。ここでは、伝送方式として1セグメントを使用するレイヤＡと、伝送方式として１２セグメントを使用するレイヤＢについて例示する。
【００１４】
図５中、スーパーセグメント番号１内のセグメント番号６のレイヤＡの両側のレイヤＢ（セグメント番号０〜５とセグメント番号７〜１２はスーパーセグメント番号１内で同一のレイヤ（レイヤＢ）であり、スーパーセグメント番号２内のセグメント番号１９のレイヤＡの両側のレイヤＢ（セグメント番号１３〜１８と２０〜２５）はスーパーセグメント番号２内で同一のレイヤ（レイヤＢ）である。スーパーセグメント番号３（セグメント番号２６〜３２）は、全てレイヤＡであるが、レイヤＡは1セグメントを使用する伝送方式であるので、それぞれが別々のレイヤＡである。
【００１５】
また、地上マルチメディア放送では、地上デジタルテレビ放送とは異なり、放送用送信局設備を持たない複数の委託放送事業者から番組やコンテンツを受託放送事業者が受け取り、受け取った番組やコンテンツについて受託放送事業者がセグメント連結送信信号を作成し放送用送信局から送信する。
【００１６】
従って、セグメント連結送信信号のセグメント毎に委託放送事業者は異なる場合があり、それぞれの委託放送事業者は、自身の使用するセグメントについて測定する必要がある。一方で受託放送事業者は放送用送信局より送信するセグメント連結送信信号全体について測定する必要がある。
【００１７】
また、地上マルチメディア放送では、番組やコンテンツによって１３セグメント形式のタイプＡスーパーセグメントを使用する場合や１セグメント形式のタイプＢスーパーセグメントを利用する場合があり、さらに、スーパーセグメント内で異なる伝送方式（異なるレイヤ）が使用されるので、測定者はスーパーセグメント内のレイヤ（伝送方式）毎にセグメント連結送信信号を測定する必要がある。
【００１８】
ここで１セグメント電界強度は、セグメント連結送信信号の電界強度Ｆの１／３３の演算で求めることができ、この算出値をセグメント連結送信信号の電力や電界強度とともに表示器に表示することが考えられる。
【００１９】
しかし、実際の電波伝搬路の周波数特性は、建物の反射（マルチパス）等の影響を受けるため、図１０のようにセグメント連結送信信号全体にわたって平坦にならない場合が多く、セグメント連結送信信号全体では十分な電界強度があっても、特定レイヤの電界強度が十分でない場合が発生し、上記のような単純計算で得られた電界強度では正確な情報を得ることが困難である。
【００２０】
このとき、セグメント連結送信信号の３３セグメント全体に渡り、その電界強度や電力の絶対値を単純にグラフ表示する方法も考えられる。
【００２１】
この方法によれば、マルチパスの影響を受けているか否かを確認することはできる。しかし、スーパーセグメント内の各レイヤそれぞれが受けるマルチパスの影響の大きさを確認することは難しい。
【００２２】
また、セグメント連結送信信号の各レイヤの電界強度や電力の絶対値を単純に表示した場合、レイヤＡは伝送方式として1セグメントを使用し、レイヤＢは１２セグメントを使用するため、その電界強度や電力の絶対値には差が生じ、レイヤＡとレイヤＢでのマルチパスの影響を測定者が確認することは困難である。さらに、セグメント連結送信信号全体の電界強度や電力の絶対値によって表示スケールが決定されるため各レイヤ間のばらつきが測定者にとって適切なスケールで表示されることは期待できない。
【００２３】
本発明は、これらの課題を解決し、セグメント連結送信信号の各レイヤの信号電力や電界強度の実測が可能で、しかも各レイヤがマルチパスなどの影響を受けているか否かを容易に把握できる地上マルチメディア放送波信号測定装置を提供することを目的としている。
【課題を解決するための手段】
【００２４】
前記目的を達成するために、本発明の請求項１の地上マルチメディア放送波信号測定装置は、地上マルチメディア放送波として送信されるセグメント連結送信信号を受信して、該セグメント連結送信信号の信号強度を測定し、該測定結果を表示器（２７）の画面上に表示する地上マルチメディア放送波信号測定装置であって、
前記セグメント連結送信信号の信号強度を測定するセグメント連結送信信号測定部（２２）と、
前記セグメント連結送信信号を構成する複数セグメントのそれぞれのセグメントの信号強度を測定するセグメント測定部（２３）と、
前記セグメント連結送信信号測定部の測定結果と前記セグメント連結送信信号を構成するセグメント数とからセグメントあたりの信号強度の平均値を算出するセグメント平均値算出手段（２４）と、
前記セグメント連結送信信号に含まれるレイヤ割り当て情報に基づき、前記複数セグメントそれぞれのレイヤを判別するレイヤ判別部（２８）と、
前記セグメント測定部で測定された前記信号強度の測定値を受けて、前記レイヤ判別部で判別された前記セグメント連結送信信号に定義されているレイヤ毎に当該測定値よりレイヤ別信号強度特性値を算出するとともに、前記セグメント平均値算出手段で算出された前記信号強度の平均値を受けて、前記レイヤ判別部で判別された前記セグメント連結送信信号に定義されているレイヤ毎に当該平均値よりレイヤ別信号強度特性値を算出し、これらレイヤ別信号強度特性値の差である相対値を算出するレイヤ相対値算出手段（２５）と、
前記レイヤ相対値算出手段により得られた前記レイヤ毎の算出結果のグラフと前記セグメント連結送信信号測定部の測定結果のグラフとを前記表示器に表示し、さらに前記レイヤ毎の算出結果のグラフの背景色を前記セグメント連結送信信号内に配置されるスーパーセグメントのくくり毎に変えて前記表示器に表示する表示制御部（２６）とを設けたことを特徴としている。
【００２５】
また、本発明の請求項２の地上マルチメディア放送波信号測定装置は、請求項１記載の地上マルチメディア放送波信号測定装置において、前記表示制御部は、前記セグメント連結送信信号内に配置されるタイプＡスーパーセグメントの中央セグメントを前記セグメント連結送信信号に定義されているレイヤ毎の算出結果のグラフ上で識別できるよう前記表示器に表示することを特徴としている。
【００２８】
また、本発明の請求項３の地上マルチメディア放送波信号測定装置は、請求項１記載の地上マルチメディア放送波信号測定装置において、前記レイヤ別信号強度特性値は、前記セグメント連結送信信号の信号電力及び電界強度の少なくとも一方であることを特徴としている。
【００２９】
また、本発明の請求項４の地上マルチメディア放送波信号測定方法は、
地上マルチメディア放送波として送信されるセグメント連結送信信号を受信して、該セグメント連結送信信号の信号強度を測定し、該測定結果を表示する地上マルチメディア放送波信号測定方法であって、
前記セグメント連結送信信号の信号強度を測定するセグメント連結送信信号測定段階と、
前記セグメント連結送信信号を構成する複数セグメントのそれぞれのセグメントの信号強度を測定するセグメント測定段階と、
前記セグメント連結送信信号測定段階の測定結果と前記セグメント連結送信信号を構成するセグメント数とからセグメントあたりの信号強度の平均値を算出するセグメント平均値算出段階と、
前記セグメント連結送信信号に含まれるレイヤ割り当て情報に基づき、前記複数セグメントそれぞれのレイヤを判別するレイヤ判別段階と、
前記セグメント測定段階で測定された前記信号強度の測定値を受けて、前記レイヤ判別段階で判別された前記セグメント連結送信信号に定義されているレイヤ毎に当該測定値よりレイヤ別信号強度特性値を算出するとともに、前記セグメント平均値算出段階で算出された前記信号強度の平均値を受けて、前記レイヤ判別段階で判別された前記セグメント連結送信信号に定義されているレイヤ毎に当該平均値よりレイヤ別信号強度特性値を算出し、これらレイヤ別信号強度特性値の差である相対値を算出するレイヤ相対値算出段階と、
前記相対値算出段階により得られた前記レイヤ毎の算出結果をグラフとして表示するグラフ表示段階とを設けたことを特徴としている。
前記相対値算出段階により得られた前記レイヤ毎の算出結果と前記セグメント連結送信信号測定段階の測定結果とをグラフとして表示し、さらに前記レイヤ毎の算出結果のグラフの背景色を前記セグメント連結送信信号内に配置されるスーパーセグメントのくくり毎に変えて表示するグラフ表示段階とを設けたことを特徴としている。
【００３０】
また、本発明の請求項５の電界強度測定方法は、請求項４記載の地上マルチメディア放送波信号測定方法において、前記グラフ表示段階は、前記セグメント連結送信信号内に配置されるタイプＡスーパーセグメントの中央セグメントを前記セグメント連結送信信号に定義されているレイヤ毎の算出結果のグラフ上で識別できるよう前記表示器に表示することを特徴としている。
【００３３】
また、本発明の請求項６の地上マルチメディア放送波信号測定方法は、請求項４記載の地上マルチメディア放送波信号測定方法において、前記レイヤ別信号強度特性値は、前記セグメント連結送信信号の信号電力及び電界強度の少なくとも一方であることを特徴としている。
【発明の効果】
【００３４】
本発明の電界強度測定装置は、セグメント連結送信信号の各レイヤの信号電力および電界強度を実測でき、しかもその実測結果と、演算で得られた１セグメント当たりの信号電力や電界強度の平均値より算出した各レイヤの信号電力や電界強度との差を画面上で識別できるように表示している。
【００３５】
このため、各レイヤの信号電力や電界強度の絶対値だけでなく、１セグメント当たりの平均的な値から算出した各レイヤの値に対する各レイヤの実測値の比較により、使用するセグメント数が異なる伝送方式であるレイヤであっても、その表示情報からマルチパスなどによるセグメント連結送信信号全体の周波数特性の劣化の有無等も容易に判る。
【００３６】
また、セグメント連結送信信号全体の信号電力や電界強度の絶対値に依存することなく、マルチパスによる各レイヤ間の信号電力や電界強度のばらつきを適切なスケールで確認することが出来る。
【図面の簡単な説明】
【００３７】
【図１】本発明の実施形態の構成を示す図
【図２】実施形態の測定結果の表示例を示す図
【図３】従来装置の構成を示す図
【図４】本発明の第２の実施形態の構成を示す図
【図５】レイヤ定義テーブル（セグメント番号とスーパーセグメント番号およびレイヤの対応）
【図６】レイヤ対応テーブル（レイヤ割り当て情報）
【図７】レイヤＡとレイヤＢの別の表示例
【図８】地上デジタルテレビ放送波のチャンネル構成図
【図９】地上マルチメディア放送波のセグメント構成図
【図１０】地上マルチメディア放送波の伝搬周波数特性例
【発明を実施するための最良の形態】
【００３８】
以下、図面に基づいて本発明の実施の形態を説明する。
図１は、本発明を適用した電界強度測定装置２０の構成を示している。
【００３９】
この電界強度測定装置２０は、前記した従来装置と同様に、測定地点に設置したアンテナ１の出力信号を周波数変換部２１に入力してセグメント連結送信信号を中間周波数帯に変換し、その信号Ｓをセグメント連結送信信号測定部２２およびセグメント測定部２３に入力する。
【００４０】
セグメント連結送信信号測定部２２は、入力信号Ｓの電力、即ちセグメント連結送信信号の電力Ｐを求め、そのセグメント連結送信信号の電力Ｐとアンテナ１の係数等に基づいてセグメント連結送信信号の電界強度Ｆを求める。なお、ここでは電力として単位ｄＢμＶ（ｅｍｆ）で示される開放端電圧値を用いて説明するが、単位ｄＢｍ等の別の単位で示される値を用いても良い。
【００４１】
セグメント測定部２３は、入力信号Ｓの３３セグメント（ＳＥＧ０〜ＳＥＧ３２）のそれぞれのセグメントについて信号電力Ｐseg０〜Ｐseg３２を求め、その信号電力Ｐseg０〜Pseg３２とアンテナ係数などの情報からそれぞれのセグメントの電界強度Ｆseg０〜Ｆseg３２を求める。これらの２つの測定部２２、２３の処理は例えばＤＳＰ等によるデジタルフィルタリングおよび演算処理で行われる。
【００４２】
ここで、セグメント測定部による３３セグメントそれぞれに対する処理は、ＤＳＰ等を複数（例えば３３個）用意し、複数のセグメントについて同時に処理しても、1つのＤＳＰ等により時分割で処理するように構成することも可能である。
【００４３】
セグメント平均値算出手段２４は、セグメント連結送信信号の電力Ｐおよびセグメント連結送信信号の電界強度Ｆと、そのセグメント連結送信信号のセグメント数ｍ（＝３３）とから、１セグメント当たりの電力Ｐｒおよび電界強度Ｆｒを次の演算で求める。
【００４４】
Ｆｒ＝Ｆ−１０ log ｍ
＝Ｆ−１０ log ３３＝Ｆ−１５．１９    （ｄＢμＶ／ｍ）
Ｐｒ＝Ｐ−１５．１９    ［ｄＢμＶ（ｅｍｆ）］
【００４５】
上記演算で得られる電界強度Ｆｒ、信号電力Ｐｒは、各セグメントの電界強度と信号電力の平均値であり、セグメント連結送信信号全体の周波数特性が平坦である理想状態における各セグメントの電界強度と信号電力の値を表している。
【００４６】
レイヤ相対値算出手段２５は、セグメント連結送信信号に定義されているレイヤ毎に、それぞれのレイヤに属するセグメントの実測の電界強度Ｆsegを合算した値であるレイヤ別信号強度特性値と、それぞれのレイヤに属するセグメント数分上記電界強度Ｆｒを加算した値であるレイヤ別信号強度特性値を算出する。
そして、セグメント連結送信信号に定義されているレイヤ毎に上記電界強度Ｆｒより算出したレイヤ別信号強度特性値に対する各セグメントの実測の電界強度Ｆsegより算出したレイヤ別信号強度特性値の相対値ΔＦｌｎ（ｎ：０〜最大３２）、即ち、
ΔＦｌｎ＝Ｆsegより算出したレイヤ別信号強度特性値 −
Ｆｒより算出したレイヤ別信号強度特性値  （ｄＢ）  （ｎ：０〜最大３２）
を求める。
【００４７】
また、電力Ｐｒ、Ｐseg についても次の演算、
ΔＰｌｎ＝Ｐsegより算出したレイヤ別信号強度特性値 −
Ｐｒより算出したレイヤ別信号強度特性値  （ｄＢ）  （ｎ：０〜最大３２）
で相対値ΔＰｌｎ（ｎ：０〜最大３２）を求める。なお、アンテナ係数がセグメント連結送信信号内で一定であれば、両相対値ΔＦｎ、ΔＰｎは等しい。
【００４８】
具体的に算出手順を示す。レイヤ相対値算出手段２５は、図５に示すようなセグメント連結送信信号の各セグメント（セグメント番号）に定義されているスーパーセグメント番号とレイヤの対応を示すレイヤ定義テーブルを備えている。ここで、各セグメントのスーパーセグメントとレイヤは、図示しない操作部よりレイヤ定義テーブルに設定された状態を示す例である。後述するように、レイヤ定義テーブルは、操作部からの設定ではなく、受信したセグメント連結送信信号を解析し、解析した情報をもとに設定することも可能である。
【００４９】
レイヤ相対値算出手段２５は、レイヤ定義テーブルに基づいて、電界強度Ｆｒより算出したレイヤ毎の電界強度（レイヤ別信号強度特性値）と、各セグメントの実測の電界強度Ｆsegより算出したレイヤ毎の電界強度（レイヤ別信号強度特性値）を算出する。
【００５０】
セグメント番号０〜１２（スーパーセグメント番号１）のレイヤ相対値算出を例に説明する。図５に示すレイヤ定義テーブルより、セグメント番号０〜５とセグメント番号７〜１２は同じスーパーセグメント（スーパーセグメント番号１）のレイヤＢと定義されているので、
ΔＦｌｎ＝Ｆsegより算出した値 −Ｆｒより算出した値（ｎ：０〜５、７〜１２）
＝１０ log｛１０^（(Ｆseg０)/１０）＋・・・＋１０^（(Ｆseg５)/１０）＋
１０^（(Ｆseg７)/１０）＋・・・＋１０^（(Ｆseg１２)/１０）｝−
Ｆr×１０log１２ （ｄＢ）
で算出される。
また、レイヤＡ（1セグメントを使用する伝送方式）であるセグメント番号６については、
ΔＦｌ６＝Ｆseg６−Ｆｒで算出される。
他のセグメント番号についても同様な手順で算出される。
【００５１】
表示制御部２６は、セグメント連結送信信号の電力Ｐ、セグメント連結送信信号の電界強度Ｆ、１セグメント当たりの電力Ｐｒ、１セグメント当たりの電界強度Ｆｒ、各セグメントの電力Ｐseg０〜Ｐseg３２、各セグメントの電界強度Ｆseg０〜Ｆseg３２ 、電界強度Ｆｒを用いて算出した値に対する各セグメントの実測の電界強度Ｆsegを用いて算出したレイヤの電界強度の相対値ΔＦｌ０〜ΔＦｌ３２を受け、これらの情報を表示器２７の画面上に所定のレイアウトで表示する。
【００５２】
より詳細には、表示制御部２６は、測定結果表示制御部２６１、セグメント連結表示制御部２６２、スーパーセグメント表示制御部２６３、特定セグメント表示制御部２６４、レイヤ表示制御部２６５を備えて構成されている。
【００５３】
測定結果表示制御部２６１は、セグメント連結送信信号測定部２２の測定結果であるセグメント連結送信信号の電力Ｐ、電界強度Ｆの表示器２７の画面上への表示を制御する。
【００５４】
レイヤ連結表示制御部２６２は、レイヤ相対値算出手段２５の算出結果である、各セグメントの属するレイヤ毎にセグメント連結送信信号全体の平均電力より算出した値と各セグメントの実測の電力とから算出した値の相対値をセグメントの連結順に並べたグラフとしてスケールとともに表示器２７の画面上への表示するための制御を行う。このとき、レイヤＡとレイヤＢとが識別可能に表示するための制御もおこなう。それぞれのセグメントがどのレイヤに属するのかは、レイヤ相対値算出手段２５のレイヤ定義テーブルより取得する。なお、レイヤ連結表示制御部に、レイヤ相対値算出手段２５のレイヤ定義テーブルと同じものを備えるようにしても良い。
【００５５】
スーパーセグメント表示制御部２６３は、セグメント連結送信信号全体の平均電力に対する各セグメントの相対値がセグメントの連結順に表示されたグラフ上でスーパーセグメントの区切り、およびタイプＡスーパーセグメントの中央セグメントを識別可能に表示するための制御を行う。なお、図示しない操作部からの指定により中央セグメントではなく、他のセグメントを識別可能に表示することも可能である。
【００５６】
特定セグメント表示制御部２６４は、セグメント測定部２３の測定結果である３３セグメントのそれぞれのセグメントの電力Ｐseg０〜Ｐseg３２、電界強度Ｆseg０〜Ｆseg３２のうち図示しない操作部から指定されたセグメントの測定結果の表示器２７の画面上への表示と、セグメントの連結順に表示されたグラフ上で指定されたセグメントを識別可能に表示するための制御を行う。
【００５７】
図２は、その表示レイアウトの一例を示すものであり、上段左側には、セグメント連結送信信号全体（３３Ｓｅｇｍｅｎｔ）５０の電力Ｐ値「６８．２８」と電界強度Ｆの値「８７．６５」が表示され、上段右側には特定セグメント（１Ｓｅｇｍｅｎｔ  ＠Ｎｏ）５１の電力Ｐsegの値「４８．２８」と電界強度Ｆsegの値「６７．６５」が表示されている。なお、ここでは特定セグメントは図示しない操作部から指定されたセグメント（セグメント２８）の値が表示されている。
【００５８】
また、下段にはセグメント連結送信信号全体の平均電力に対する各セグメントに定義されているレイヤ相対値を棒グラフ５５で示したものを、セグメント連結送信信号内で連結されているセグメントの連結順に左から並べて１つのグラフ（Ｒｅｌａｔｉｖｅ Ｌｅｖｅｌ ｖｓ Ｌａｙｅｒ）５２として表示している。
【００５９】
グラフ（Ｒｅｌａｔｉｖｅ Ｌｅｖｅｌ ｖｓ Ｌａｙｅｒ）５２の左側には、グラフの縦軸スケールを示す−２０ｄＢ、０ｄＢ、＋１０ｄＢが表示され、下側にはグラフ横軸のスケールとして左側より周波数順に連結されたセグメント番号を示す０、１６、３２が表示されている。なお、グラフの縦軸のスケール表示は一例であり、測定値に応じて変更が可能である。横軸のスケールについても同様に表示は一例であり変更が可能である。
【００６０】
また、グラフ（Ｒｅｌａｔｉｖｅ Ｌｅｖｅｌ ｖｓ Ｌａｙｅｒ）５２内には、相対値０ｄＢの位置を示すライン５４と、タイプＡスーパーセグメントのくくりを示すライン５６が表示されている。なお、ラインによりスーパーセグメントのくくりを表示するのではなく、背景色等を変える等によりスーパーセグメントのくくりが識別できるように表示してもよい。
【００６１】
さらに、各セグメントに定義されているレイヤ相対値を示した棒グラフ５５の内、レイヤＡとレイヤＢはとは表示色や模様を変えることにより識別可能に表示している。
【００６２】
ここで、伝送方式として１２セグメントを使用するレイヤＢの表示について、さらに説明する。スーパーセグメント番号０の中央のレイヤＡ５７の両側のレイヤＢ５８，５９はスーパーセグメント番号０内で同一のレイヤＢである。同様に、スーパーセグメント番号１の中央のレイヤＡ６０の両側のレイヤもスーパーセグメント番号１内で同一のレイヤＢである。この時、図２ではレイヤＢの相対値が中央のレイヤＡを越える場合に、同一のレイヤであることが識別しやすいように、中央のレイヤＡで分断せず、両側のレイヤＢをつなげて表示している（６１）。なお、図７のようにレイヤＢの相対値が中央のレイヤＡを越える場合であっても、両側のレイヤＢをつなげず分断して表示してもよい。
【００６３】
また、上段右側に表示される特定セグメント（１Ｓｅｇｍｅｎｔ  ＠Ｎｏ）５１の表示と連動して、図示しない操作部から指定されたセグメントが他のセグメントとは表示色や模様を変えることにより識別可能に表示することができる。ここでは指定されたセグメント（セグメント２８）５８が識別可能に表示されている。
【００６４】
なお、タイプＡスーパーセグメントのくくりを示すライン５６は常時表示するのではなく、図示しない操作部からの指定により表示、非表示を選択するようにすることも可能である。
【００６５】
グラフ（Ｒｅｌａｔｉｖｅ Ｌｅｖｅｌ ｖｓ Ｌａｙｅｒ）５２の右にはセグメント連結送信信号全体の電力が棒グラフ（ＡＬＬ）５３として表示されグラフ右側には縦軸スケールとし０、＋１２０と単位であるｄＢμＶが表示されている。なお、セグメント連結送信信号全体の電力を表示した棒グラフ（ＡＬＬ）５３を、グラフ（Ｒｅｌａｔｉｖｅ Ｌｅｖｅｌ ｖｓ Ｌａｙｅｒ）５２と同一画面で表示するのではなく、別画面に表示したり、図示しない操作部からの指定により表示、非表示を選択するようにすることも可能である。なお、グラフの縦軸のスケール表示は一例であり、測定に応じて変更が可能である。
【００６６】
次に、図４により第２の実施例について説明する。なお、図１と機能が同じである機能ブロックについては説明を省略する。
【００６７】
レイヤ判別部２８は、入力信号Ｓを解析し、入力信号Ｓの３３セグメント（ＳＥＧ０〜ＳＥＧ３２）のそれぞれのセグメントが属するレイヤを判別し、判別したそれぞれのセグメントのレイヤ情報（Ｌ０〜Ｌ３２）をレイヤ相対値算出手段２５に通知する。レイヤ相対値算出手段２５では、通知されたレイヤ情報に基づき、先に説明したレイヤ定義テーブルを設定する。本実施例では、操作部からの設定ではなく、受信したセグメント連結送信信号を解析した情報でレイヤ定義テーブルが設定される。
【００６８】
具体的には、まず、入力信号Ｓから、図に示す各レイヤに使用されているレイヤ割り当て情報を抽出する。抽出された情報は、レイヤと、セグメント数、変調方式、符号化率の対応を示すレイヤ対応テーブルとしてレイヤ判別部に備えられる。図６はレイヤ対応テーブルの例であり、レイヤＡでは、セグメント数が１、変調方式がＱＰＳＫ、符号化率２／３が使われ、レイヤＢでは、セグメント数が１２、変調方式が６４ＱＡＭ、符号化率３／４が使われている。
【００６９】
次に入力信号Ｓの３３セグメントのそれぞれのセグメントの変調方式と符号化率を解析する。図６のレイヤ対応テーブルより、それぞれのレイヤがどのレイヤに属するかが判断できる。判断した情報はレイヤ情報（Ｌ０〜Ｌ３２）としてレイヤ相対値算出手段２５に通知される。
【００７０】
レイヤ相対値算出手段２５では、レイヤ判別部２８から受けたレイヤ情報（Ｌ０〜Ｌ３２）をもとに各セグメントのレイヤを図５に示すレイヤ定義テーブルに設定し、設定されたレイヤ定義テーブルに基づいて、電界強度Ｆｒより算出したレイヤ毎の電界強度と、各セグメントの実測の電界強度Ｆsegより算出したレイヤ毎の電界強度を算出する。算出以降の処理については既に説明しているので省略する。
【００７１】
次に、本発明の電界強度測定方法について説明する。
測定地点でセグメント連結送信信号を受信し、中間周波数帯に変換する。そして中間周波数帯に変換されたセグメント連結送信信号の電界強度Ｆおよび信号電力Ｐを測定するとともに、３３セグメントのそれぞれのセグメントについて信号電力Ｐseg０〜Ｐseg３２および電界強度Ｆseg０〜Ｆseg３２を測定する。
【００７２】
次に、測定したセグメント連結送信信号の電界強度Ｆおよび信号電力Ｐとセグメント連結送信信号のセグメント数ｍ（＝３３）とから１セグメントあたりの電力Ｐｒおよび電界強度Ｆｒをすでに説明した演算により求める。
【００７３】
次に、セグメント連結送信信号に定義されているレイヤ毎に求めた１セグメントあたりの電力Ｐｒより算出した値に対する各セグメントの実測の電力Ｐsegより算出した値の相対値であるΔＰｌ０〜ΔＰｌ３２および、１セグメントあたりの電界強度Ｆｒより算出した値に対する各セグメントの実測の電界強度Ｆsegより算出した値の相対値であるΔＦｌ０〜ΔＦｌ３２をすでに説明した演算により算出する。
【００７４】
そして、セグメント連結送信信号の電力Ｐ、セグメント連結送信信号の電界強度Ｆ、１セグメント当たりの電力Ｐｒ、１セグメント当たりの電界強度Ｆｒ、各セグメントの電力Ｐseg０〜Ｐseg３２、各セグメントの電界強度Ｆseg０〜Ｆseg３２ 、セグメント連結送信信号に定義されているレイヤ毎に電界強度Ｆｒより算出した値に対する各セグメントの実測の電界強度Ｆsegより算出した価の相対値ΔＦｌ０〜ΔＦｌ３２の情報を表示器２７の画面上に所定のレイアウトで表示する。表示レイアウトの一例は図２であり、すでに説明しているので省略する。
【００７５】
このように実施形態の電界強度測定装置２０および電界測定方法では、セグメント連結送信信号の電力Ｐ、電界強度Ｆだけでなく、各セグメントの電力Ｐseg 、電界強度Ｆseg を実測して、その実測結果と、セグメント連結送信信号に定義されているレイヤ毎にセグメント連結送信信号の１セグメント当たりの電界強度Ｆｒや電力Ｐｒの平均値より算出した値との差が識別できるように表示している。
【００７６】
このため、単に特定セグメントの電力や電界強度が規定レベル以上か否かの判定だけでなく、特定のレイヤの電力や電界強度がセグメント連結送信信号内で平均値に対してどのようなレベルにあるか否かを一目で判定でき、マルチパスの影響も把握することができる。
【００７７】
また、セグメント連結送信信号全体の信号電力や電界強度の絶対値に依存することなく、１セグメントあたりの信号電力や電界強度の平均値より算出した値に対する各レイヤの実測の信号電力や電界強度の相対値を表示することにより、マルチパスによる各レイヤ間の信号電力や電界強度のばらつきを適切なスケールで表示し確認することが出来る。
【００７８】
ここで、上述の電界強度測定装置２０の実施形態では、セグメント平均値算出手段２４が電界強度Ｆｒと電力Ｐｒの両方を求めていたが、電界強度のみで表す場合、セグメント平均値算出手段２４は電界強度Ｆｒのみを求めればよく、電力値のみで表す場合、セグメント平均値算出手段２４は電力値Ｐｒのみを求めればよい。また、電界強度測定装置についても同様である。
【００７９】
なお、以上の説明では、地上マルチメディア放送波として３３セグメントの信号がセグメント連結送信信号として使用される技術規格ＩＳＤＢ−Ｔｍｍについて説明したが、他の技術規格であるＩＳＤＢ−ＴやＩＳＤＢ−Ｔｓｂなどを測定する場合にも、連結されるセグメント数やスーパーセグメントの配置について変更することにより同様に適用することが出来る。
【符号の説明】
【００８０】
１…アンテナ、２０…電界強度測定装置、２１…周波数変換部、２２…セグメント連結送信信号測定部、２３…セグメント測定部、２４…セグメント平均値算出手段、２５…相対値算出手段、２６…表示制御部、２７…表示器、２８…レイヤ判別部、２６１…測定結果表示制御部、２６１…レイヤ連結表示制御部、２６３…スーパーセグメント表示制御部、２６４…特定セグメント表示制御部
【図１】
0005530467.tif 000002
【図２】
0005530467.tif 000003
【図３】
0005530467.tif 000004
【図４】
0005530467.tif 000005
【図５】
0005530467.tif 000006
【図６】
0005530467.tif 000007
【図７】
0005530467.tif 000008
【図８】
0005530467.tif 000009
【図９】
0005530467.tif 000010
【図１０】
0005530467.tif 000011